(57)【要約】【課題】印画データの情報取得手段（デジタルカメラ等）を接続していない状態であっても、実際の印画を行う前に、記録用紙に印画可能な画像情報等を画面で表示することができるようにし、その情報画面に基づいて印画を行うことにより、所望の画像等が印画された記録用紙を収納することができるようにする。【解決手段】印画されたカット紙１２の収納容器１３と、収納容器１３に取り付けられる蓋体１４と、蓋体１４上に情報を表示する液晶ディスプレイ１６とを備え、液晶ディスプレイ１６は、インクジェットヘッド１１によってカット紙１２に印画可能な情報画面を表示するようにした。【選択図】図１
2006036448.tif 000002
【特許請求の範囲】
【請求項１】
印画された記録用紙の収納容器と、
前記収納容器に取り付けられる蓋体と
を備え、
画像形成装置の印画部で印画された前記記録用紙を前記収納容器内に収納する排紙トレーであって、
前記蓋体は、前記蓋体上に情報を表示する表示器を備え、前記表示器は、前記印画部によって前記記録用紙に印画可能な情報画面を表示する
ことを特徴とする排紙トレー。
【請求項２】
請求項１に記載の排紙トレーにおいて、
前記表示器は、情報取得手段によって取得された情報を表示する
ことを特徴とする排紙トレー。
【請求項３】
請求項１に記載の排紙トレーにおいて、
前記表示器は、前記蓋体又は前記表示器の上に情報取得手段を載置すると、前記情報取得手段によって取得された情報を表示する
ことを特徴とする排紙トレー。
【請求項４】
請求項１に記載の排紙トレーにおいて、
情報取得手段によって取得された情報の情報保持手段を備え、前記表示器は、前記情報保持手段によって保持された情報を表示する
ことを特徴とする排紙トレー。
【請求項５】
請求項１に記載の排紙トレーにおいて、
前記表示器は、タッチパネル機能を有する
ことを特徴とする排紙トレー。
【請求項６】
請求項１に記載の排紙トレーにおいて、
前記蓋体は、前記収納容器に開閉可能に取り付けられており、前記蓋体を開けると前記収納容器内に収納された前記記録用紙が取出し可能となる
ことを特徴とする排紙トレー。
【請求項７】
請求項１に記載の排紙トレーにおいて、
前記収納容器は、前記記録用紙の排出口を備え、前記記録用紙は、前記排出口から自動的に排出可能である
ことを特徴とする排紙トレー。
【請求項８】
記録用紙の給紙トレーと、
印画された前記記録用紙の排紙トレーと
を備え、
前記給紙トレーから給紙された前記記録用紙を画像形成装置の印画部で印画し、印画された前記記録用紙を前記排紙トレーに排紙する給排紙装置であって、
前記排紙トレーは、
印画された前記記録用紙の収納容器と、
前記収納容器に取り付けられる蓋体と、
前記蓋体上に情報を表示する表示器と
を備え、
前記表示器は、前記印画部によって前記記録用紙に印画可能な情報画面を表示する
ことを特徴とする給排紙装置。
【請求項９】
請求項８に記載の給排紙装置において、
前記表示器は、情報取得手段により取得された情報を表示する
ことを特徴とする給排紙装置。
【請求項１０】
請求項８に記載の給排紙装置において、
前記表示器は、前記蓋体又は前記表示器の上に情報取得手段を載置すると、前記情報取得手段により取得された情報を表示する
ことを特徴とする給排紙装置。
【請求項１１】
請求項８に記載の給排紙装置において、
情報取得手段によって取得された情報の情報保持手段を備え、前記表示器は、前記情報保持手段によって保持された情報を表示する
ことを特徴とする給排紙装置。
【請求項１２】
請求項８に記載の給排紙装置において、
前記表示器は、タッチパネル機能を有する
ことを特徴とする給排紙装置。
【請求項１３】
請求項８に記載の給排紙装置において、
前記蓋体は、前記収納容器に開閉可能に取り付けられており、前記蓋体を開けると前記収納容器内に収納された前記記録用紙が取出し可能となる
ことを特徴とする給排紙装置。
【請求項１４】
請求項８に記載の給排紙装置において、
前記収納容器は、前記記録用紙の排出口を備え、前記記録用紙は、前記排出口から自動的に排出可能である
ことを特徴とする給排紙装置。
【請求項１５】
記録用紙に印画を行う印画部と、
前記記録用紙の給紙トレーと、
印画された前記記録用紙の排紙トレーと
を備え、
前記給紙トレーから給紙された前記記録用紙を前記印画部で印画し、印画された前記記録用紙を前記排紙トレーに排紙する画像形成装置であって、
前記排紙トレーは、
印画された前記記録用紙の収納容器と、
前記収納容器に取り付けられる蓋体と、
前記蓋体上に情報を表示する表示器と
を備え、
前記表示器は、前記印画部によって前記記録用紙に印画可能な情報画面を表示する
ことを特徴とする画像形成装置。
【請求項１６】
請求項１５に記載の画像形成装置において、
前記表示器は、情報取得手段により取得された情報を表示する
ことを特徴とする画像形成装置。
【請求項１７】
請求項１５に記載の画像形成装置において、
前記表示器は、前記蓋体又は前記表示器の上に情報取得手段を載置すると、前記情報取得手段により取得された情報を表示する
ことを特徴とする画像形成装置。
【請求項１８】
請求項１５に記載の画像形成装置において、
情報取得手段によって取得された情報の情報保持手段を備え、前記表示器は、前記情報保持手段によって保持された情報を表示する
ことを特徴とする画像形成装置。
【請求項１９】
請求項１５に記載の画像形成装置において、
前記表示器は、タッチパネル機能を有する
ことを特徴とする画像形成装置。
【請求項２０】
請求項１５に記載の画像形成装置において、
前記蓋体は、前記収納容器に開閉可能に取り付けられており、前記蓋体を開けると前記収納容器内に収納された前記記録用紙が取出し可能となる
ことを特徴とする画像形成装置。
【請求項２１】
請求項１５に記載の画像形成装置において、
前記収納容器は、前記記録用紙の排出口を備え、前記記録用紙は、前記排出口から自動的に排出可能である
ことを特徴とする画像形成装置。
【請求項２２】
印画された記録用紙の収納容器と、
前記収納容器に取り付けられる蓋体と、
前記蓋体上に情報を表示する表示器と
を備え、
前記表示器に表示された前記情報を縦覧可能とする情報表示装置であって、
前記表示器は、画像形成装置の印画部によって前記記録用紙に印画可能な情報画面を表示する
ことを特徴とする情報表示装置。
【請求項２３】
請求項２２に記載の情報表示装置において、
前記表示器は、情報取得手段により取得された情報を表示する
ことを特徴とする情報表示装置。
【請求項２４】
請求項２２に記載の情報表示装置において、
前記表示器は、前記蓋体又は前記表示器の上に情報取得手段を載置すると、前記情報取得手段により取得された情報を表示する
ことを特徴とする情報表示装置。
【請求項２５】
請求項２２に記載の情報表示装置において、
情報取得手段によって取得された情報の情報保持手段を備え、前記表示器は、前記情報保持手段によって保持された情報を表示する
ことを特徴とする情報表示装置。
【請求項２６】
請求項２２に記載の情報表示装置において、
前記表示器は、タッチパネル機能を有する
ことを特徴とする情報表示装置。
【請求項２７】
請求項２２に記載の情報表示装置において、
前記蓋体は、前記収納容器に開閉可能に取り付けられており、前記蓋体を開けると前記収納容器内に収納された前記記録用紙が取出し可能となる
ことを特徴とする情報表示装置。
【請求項２８】
請求項２２に記載の情報表示装置において、
前記収納容器は、前記記録用紙の排出口を備え、前記記録用紙は、前記排出口から自動的に排出可能である
ことを特徴とする情報表示装置。
【発明の詳細な説明】
【技術分野】
【０００１】
本発明は、印画された記録用紙を収納する画像形成装置の排紙トレー、画像形成装置における記録用紙の給排紙装置、さらに、プリンタ、複写機、ファクシミリ等の各種の画像形成装置、及び表示器に表示された画像等の各種の情報を縦覧可能とする情報表示装置に係るものであり、詳しくは、実際に印画を行う前に、記録用紙に印画可能な画像情報等を画面で表示することができるようにした技術に関するものである。
【背景技術】
【０００２】
プリンタ、複写機、ファクシミリ等の各種の画像形成装置によって印画を行うには、一般的に、給紙トレー内に収納されたカット紙等の記録用紙を順次搬送し、インクジェットヘッド等の印画部で印画を行っている。そして、印画された記録用紙は、排紙トレーに排紙され、ストックされる。
【０００３】
また、記録用紙に印画を行うための印画データは、パーソナルコンピュータやデジタルカメラ等の情報取得手段から、各種のインターフェース（ＲＳ２３２Ｃ，ＳＣＳＩ，ＩＥＥＥ１３９４，ＵＳＢ等）を介して取得され、メモリに記憶等される。そして、メモリに記憶等された印画データに基づいて、記録用紙に印画が行われることとなる。
【０００４】
ここで、印画データの情報取得手段であるデジタルカメラを着脱自在に接続できるようにしたプリンタが知られている。すなわち、デジタルカメラを接続した状態で印画データを取得する接続基台を備え、この接続基台で取得した印画データの画像に基づいて、記録用紙に印画を行うようにしたプリンタである（例えば、特許文献１参照）。
【特許文献１】特開２０００−３６９３１号公報
【０００５】
上記の特許文献１に記載の技術によれば、デジタルカメラの背面にある液晶ディスプレイに画像を表示させ、印画する画像を選択する。そして、選択した画像の印画データをプリンタに転送する。印画データが転送されると、プリンタに備えられた搬送ローラによって給紙トレーからカット紙（記録用紙）が搬送され、印画部で印画が行われる。また、印画が行われたカット紙は、搬送ローラを逆回転させることにより、給紙トレーの上側に２段重ねで配置された排紙トレーに排出され、ストックされる。
【発明の開示】
【発明が解決しようとする課題】
【０００６】
しかし、上記の特許文献１に記載の技術によれば、印画を行う画像は、デジタルカメラに備えられた液晶ディスプレイに表示されるだけである。すなわち、プリンタからデジタルカメラを取り外した後は、画像を表示する手段が存在しない。そのため、プリンタに転送され、メモリに記憶等された印画データがどのような画像であるかは、実際に印画を行わなければ確認することができない。
【０００７】
したがって、本発明が解決しようとする課題は、印画データの情報取得手段（デジタルカメラ等）を接続していない状態であっても、実際の印画を行う前に、記録用紙に印画可能な画像情報等を画面で表示することができるようにし、その情報画面に基づいて印画を行うことにより、所望の画像等が印画された記録用紙を収納することができるようにした排紙トレー、給排紙装置、画像形成装置、及び情報表示装置を提供することである。
【課題を解決するための手段】
【０００８】
本発明は、以下の解決手段によって、上述の課題を解決する。
本発明の１つである請求項１に記載の発明は、印画された記録用紙の収納容器と、前記収納容器に取り付けられる蓋体とを備え、画像形成装置の印画部で印画された前記記録用紙を前記収納容器内に収納する排紙トレーであって、前記蓋体は、前記蓋体上に情報を表示する表示器を備え、前記表示器は、前記印画部によって前記記録用紙に印画可能な情報画面を表示することを特徴とする。
【０００９】
また、本発明の他の１つである請求項８に記載の発明は、記録用紙の給紙トレーと、印画された前記記録用紙の排紙トレーとを備え、前記給紙トレーから給紙された前記記録用紙を画像形成装置の印画部で印画し、印画された前記記録用紙を前記排紙トレーに排紙する給排紙装置であって、前記排紙トレーは、印画された前記記録用紙の収納容器と、前記収納容器に取り付けられる蓋体と、前記蓋体上に情報を表示する表示器とを備え、前記表示器は、前記印画部によって前記記録用紙に印画可能な情報画面を表示することを特徴とする。
【００１０】
さらに、本発明の他の１つである請求項１５に記載の発明は、記録用紙に印画を行う印画部と、前記記録用紙の給紙トレーと、印画された前記記録用紙の排紙トレーとを備え、前記給紙トレーから給紙された前記記録用紙を前記印画部で印画し、印画された前記記録用紙を前記排紙トレーに排紙する画像形成装置であって、前記排紙トレーは、印画された前記記録用紙の収納容器と、前記収納容器に取り付けられる蓋体と、前記蓋体上に情報を表示する表示器とを備え、前記表示器は、前記印画部によって前記記録用紙に印画可能な情報画面を表示することを特徴とする。
【００１１】
さらにまた、本発明の他の１つである請求項２２に記載の発明は、印画された記録用紙の収納容器と、前記収納容器に取り付けられる蓋体と、前記蓋体上に情報を表示する表示器とを備え、前記表示器に表示された前記情報を縦覧可能とする情報表示装置であって、前記表示器は、画像形成装置の印画部によって前記記録用紙に印画可能な情報画面を表示することを特徴とする。
【００１２】
すなわち、上記の各発明は、画像形成装置の印画部によって記録用紙に印画可能な情報画面を表示器に表示できるようにしたものである。そのため、印画データの情報取得手段の接続の有無にかかわらず、実際の印画を行う前に、記録用紙に印画可能な画像情報等を確認することができる。
【００１３】
また、上記の各発明においては、名称は何であれ、最終的に同一形態のものとすることができる。すなわち、上記の請求項８の給排紙装置は、上記の請求項１の排紙トレーを備えるようにしたものであり、上記の請求項１５の画像形成装置は、上記の請求項８の給排紙装置を備えるようにしたものである。また、上記の請求項２２の情報表示装置に印画部を備えた形態が上記の請求項１５の画像形成装置である。
【００１４】
ここで、表示器には、デジタルカメラ等の情報取得手段によって取得された情報を表示することができる。そして、この場合、蓋体又は表示器の上に情報取得手段を載置することにより、情報が表示されるようにすることができる。また、情報取得手段によって取得された情報の情報保持手段を備えている場合には、情報保持手段によって保持された情報を表示することもできる。なお、表示器は、タッチパネル機能を有するものであっても良い。
【００１５】
そして、収納容器内に収納された記録用紙の取出しに際しては、収納容器に開閉可能に取り付けられた蓋体を開けることにより、記録用紙を取り出すことができる。また、蓋体を開けることなく、収納容器に備えた排出口から記録用紙を自動的に排出させるようにしても良い。
【発明の効果】
【００１６】
本発明の排紙トレー、給排紙装置、画像形成装置、及び情報表示装置によれば、印画された記録用紙の収納容器に取り付けられる蓋体上に情報を表示する表示器を備え、印画部によって記録用紙に印画可能な情報画面を表示するようにしたので、印画データの情報取得手段（デジタルカメラ等）を接続していない状態であっても、実際の印画を行う前に、記録用紙に印画可能な画像情報等を確認することができる。そして、表示された画像情報等の情報画面に基づいて印画を行うことにより、所望の画像等が印画された記録用紙を収納容器内に収納することができる。
【発明を実施するための最良の形態】
【００１７】
以下、図面を参照して、本発明の一実施形態について説明する。
本発明における、排紙トレー、給排紙装置、画像形成装置、及び情報表示装置は、下記実施形態において同一形態のものであり、画像形成装置に相当するインクジェットプリンタ１０がそのまま情報表示装置にも相当し、インクジェットプリンタ１０の一部（収納容器１３及び蓋体１４）が排紙トレーに相当し、この排紙トレーと給紙トレー１５とが給排紙装置に相当する。
【００１８】
図１は、本実施形態のインクジェットプリンタ１０を示す斜視図である。
図１に示すように、インクジェットプリンタ１０は、インクジェットヘッド１１（本発明における印画部に相当するもの）によって印画されたカット紙１２（本発明における記録用紙に相当するもの）の収納容器１３と、収納容器１３に取り付けられた開閉可能な蓋体１４と、カット紙１２の給紙トレー１５とから構成されている。なお、収納容器１３と蓋体１４とにより、排紙トレーが構成されることとなる。また、蓋体１４上には、液晶ディスプレイ１６（本発明における表示器に相当するもの）が備えられている。
【００１９】
ここで、図１に示すように、排紙トレー（収納容器１３及び蓋体１４）は、給紙トレー１５の上側に重ねて配置されている。そして、インクジェットヘッド１１は、給紙トレー１５の一端側に配置されている。そのため、このインクジェットプリンタ１０は、カット紙１２を一回り大きくした平面的な外観となっており、スペース効率に優れ、しかも、デザイン的にも優れたものとなっている。
【００２０】
図２は、本実施形態のインクジェットプリンタ１０を示す断面図である。
図２に示すように、給紙トレー１５内にはカット紙１２が積層して収納されている。そして、カット紙１２は、給紙ローラに挟まれて上から一枚ずつ給紙され、インクジェットヘッド１１によって印画が行われる。
【００２１】
ここで、インクジェットヘッド１１は、多数のヘッドをカット紙１２の幅方向に並べて配置したものであり、印画幅分のラインヘッドを形成したライン方式のものである。そのため、インクジェットヘッド１１をカット紙１２の幅方向に移動させることなく、印画を行うことができる。
【００２２】
また、インクジェットヘッド１１には、インクカートリッジ１７からＹ（イエロー）、Ｍ（マゼンタ）、Ｃ（シアン）、及びＫ（ブラック）の４色のインクが供給されており、カット紙１２にカラーの写真画質で印画を行うことができる。このインクカートリッジ１７は、給紙トレー１５の下側に重ねて配置されており、排紙トレー（収納容器１３及び蓋体１４）と合わせ、３段重ねとなっている。
【００２３】
そして、カット紙１２に対する印画データ（撮影画像等）は、図示しないデジタルカメラ（本発明における情報取得手段に相当するもの）からワイヤレスで送信され、制御基板１８に実装された受信部で受信されるとともに、メモリ（本発明における情報保持手段に相当するもの）に記憶される。また、制御基板１８は、蓋体１４上に情報を表示する液晶ディスプレイ１６の表示の制御も行う。なお、制御基板１８には、デジタルカメラ等の情報取得手段（図示せず）との有線接続のための各種インターフェース（ＲＳ２３２Ｃ，ＳＣＳＩ，ＩＥＥＥ１３９４，ＵＳＢ等）を設けることもできる。
【００２４】
メモリに記憶された印画データに基づいて、インクジェットヘッド１１によって印画が行われたカット紙１２は、排紙ローラによって折り曲げられて排紙され、収納容器１３内に印画面を上にして収納される。そして、次々に連続して印画されたカット紙１２は、収納容器１３内で積層することとなる。
【００２５】
図３は、本実施形態のインクジェットプリンタ１０を示す断面図であり、蓋体１４を開けた状態を示す図である。
図３に示すように、収納容器１３内に積層して収納されたカット紙１２は、蓋体１４を開けることにより、取出し可能となっている。
【００２６】
ここで、収納容器１３内で積層するカット紙１２の中で、下に位置するカット紙１２が所望の画像が印画されたものである場合がある。そこで、図３に示すように、インクジェットプリンタ１０には、カット紙１２の仕分け部材１９が備えられている。この仕分け部材１９は、積層するカット紙１２の間に挟み込まれる爪であり、蓋体１４を開けると、仕分けされた所望のカット紙１２よりも上に積層された他の全てのカット紙１２を蓋体１４の裏面側に保持する。そのため、蓋体１４を開ければ、収納容器１３内で積層するカット紙１２の一番上のものが所望のカット紙１２となるので、所望のカット紙１２を簡単に取り出すことができる。
【００２７】
図４は、本実施形態のインクジェットプリンタ１０を示す断面図であり、排紙トレーを構成する収納容器１３を開けた状態を示す図である。
すなわち、図４に示すように、重ねて配置された給紙トレー１５と排紙トレー（収納容器１３）との間は、開閉可能となっている。そのため、排紙トレー（収納容器１３）を開ければ、給紙トレー１５に対するカット紙１２の補充が可能となる。
【００２８】
図５は、本実施形態のインクジェットプリンタ１０を示す断面図であり、カット紙１２の給紙トレー１５を開けた状態を示す図である。
すなわち、図５に示すように、重ねて配置された給紙トレー１５とインクカートリッジ１７との間は、開閉可能となっている。そのため、給紙トレー１５を開けることにより、インクカートリッジ１７に対するインクの補充（インクカートリッジ１７を交換する場合も含む）が可能となる。
【００２９】
図６は、本実施形態のインクジェットプリンタ１０を示す斜視図であり、蓋体１４上に情報が表示された状態を示す図である。
すなわち、図６示すように、蓋体１４上には、タッチパネル機能を有する液晶ディスプレイ１６が備えられている。そのため、液晶ディスプレイ１６上にデジタルカメラ２０を載置するだけで、ワイヤレスで撮影画像が送信され、インクジェットプリンタ１０内のメモリに記憶される。なお、デジタルカメラ２０は、液晶ディスプレイ１６上のどの位置に載置しても良く、載置すれば自動的に撮影画像が送信されるようになっている。
【００３０】
ここで、図６に示すように、撮影画像の送信中は、デジタルカメラ２０に備えられた液晶ディスプレイに表示された画像がそのまま液晶ディスプレイ１６の全面に表示される。また、既に送信が終了し、インクジェットプリンタ１０内のメモリに記憶された画像は、液晶ディスプレイ１６にサムネイル形式で表示される（四角で囲った部分）。
【００３１】
このようにしてインクジェットプリンタ１０に送信され、メモリに記憶された画像は、液晶ディスプレイ１６に表示されたサムネイルをクリックし、印画を選択することによって給紙トレー１５内のカット紙１２に印画することができる。すなわち、液晶ディスプレイ１６は、カット紙１２に印画可能な情報画面を表示する。そして、印画されたカット紙１２は、収納容器１３内に積層して収納される。
【００３２】
したがって、本実施形態のインクジェットプリンタ１０は、カット紙１２に印画可能な全ての画像を液晶ディスプレイ１６に表示することができ、実際の印画を行う前に、カット紙１２に印画可能な画像情報等を確認することができる。すなわち、インクジェットプリンタ１０は、そのまま画像の情報表示装置に相当するものとなっている。
【００３３】
また、液晶ディスプレイ１６は、表示の変更により、インクジェットヘッド１１によってカット紙１２に印画済みの情報画面を表示することもできる。すなわち、収納容器１３内のカット紙１２に印画された各画像をサムネイル形式で表示することもできる。なお、クリックすることによって表示の選択がなされたサムネイルを液晶ディスプレイ１６の全面に表示することもできる。
【００３４】
図７は、他の実施形態のインクジェットプリンタ１０を示す斜視図であり、印画されたカット紙１２の排出中の状態を示す図である。
図７に示すように、最初は、液晶ディスプレイ１６に全画面表示された画像が縦覧できる状態にある。この状態では、液晶ディスプレイ１６に表示されたサムネイルをクリックし、表示を選択することにより、縦覧画像を簡単に自由に変更できるという利点がある。しかし、表示画像の解像度の点では、必ずしも十分なものではない。
【００３５】
そこで、お気に入りの一枚を高解像度で観賞するために、例えば液晶ディスプレイ１６に表示された画像を印画する。印画を行うには、液晶ディスプレイ１６に表示されたサムネイルをクリックし、印画を選択する。すると、インクジェットヘッド１１（図２参照）によって印画が行われ、図７に示すように、印画済みのカット紙１２が排出される。
【００３６】
すなわち、印画済みのカット紙１２を収納容器１３内から取り出すには、図３に示すように、蓋体１４を開けて取り出すこともできる。しかし、図７に示すインクジェットプリンタ１０では、蓋体１４を開けることなく、収納容器１３の排出口２０から自動的に排出できるようになっている。
【００３７】
この点に関しさらに詳述すると、液晶ディスプレイ１６の上にデジタルカメラ２０（図６参照）を載置していなくても、液晶ディスプレイ１６には、カット紙１２に印画可能な情報画面がサムネイル形式で表示される（四角で囲った部分）。そして、サムネイルの１つをクリックして印画を選択すると、図７に示すように、選択がなされたサムネイルの画像が液晶ディスプレイ１６の全面に表示される。
【００３８】
それと同時に、選択がなされたサムネイルの画像がインクジェットヘッド１１（図２参照）によって印画され、印画済みのカット紙１２が収納容器１３内に収納される。また、この印画済みのカット紙１２は、収納容器１３を通過して、収納容器１３の一端側に形成された排出口２１から自動的に排出される。そのため、図７に示す実施形態のインクジェットプリンタ１０は、蓋体１４を開けなくても、印画済みのカット紙１２を取り出すことができる。
【００３９】
このように、各実施形態のインクジェットプリンタ１０は、デジタルカメラ２０が接続されていなくても、液晶ディスプレイ１６により、インクジェットヘッド１１でカット紙１２に印画可能な情報画面を表示することができる。そのため、実際の印画を行う前に、カット紙１２に印画可能な画像情報等を確認することができる。
【００４０】
また、印画可能な画像情報等を確認し、実際に印画を行ったカット紙１２は、蓋体１４を開けるだけで簡単に取り出すことができる。さらに、このカット紙１２は、蓋体１４を開けることなく、排出口２１から自動的に排出させることもできる。そのため、所望の画像が印画されたカット紙１２を効率的に取り出すことができる。
【００４１】
以上、本発明の実施形態について説明したが、本発明は、上記実施形態に限定されることなく、以下のような種々の変形等が可能である。すなわち、
（１）本実施形態では、画像形成装置としてインクジェットプリンタ１０を例に挙げたが、これに限らず、各種のプリンタ、複写機、ファクシミリ等の画像形成装置に適用することができる。
【００４２】
（２）本実施形態では、ライン方式のインクジェットヘッド１１によって印画を行っているが、これに限らず、シリアル方式であっても良い。また、インクの吐出方式は、サーマル方式、静電吐出方式、ピエゾ方式等、何でも良い。さらに、インクジェット方式ではなく、熱転写方式等のヘッドで印画することもできる。
【００４３】
（３）本実施形態では、情報を表示する表示器として液晶ディスプレイ１６を使用し、画像を表示しているが、これに限らず、有機ＥＬ（エレクトロルミネセンス）ディスプレイ等の各種の表示装置を使用することができる。また、表示する情報は、画像の他、文字等であっても良い。
【００４４】
（４）本実施形態では、情報を表示する表示器としてタッチパネル機能を有する液晶ディスプレイ１６を使用し、クリック操作によって情報画面の選択をしているが、タッチパネル機能を省いた各種の表示装置を使用し、別途、情報画面の選択のための操作部を備えるようにしても良い。
【産業上の利用可能性】
【００４５】
本発明の排紙トレー、給排紙装置、画像形成装置、及び情報表示装置によれば、印画データの情報取得手段（デジタルカメラ等）を接続していない状態であっても、実際の印画を行う前に、記録用紙に印画可能な画像情報等を確認することができるので、所望の画像等が印画された記録用紙を効率的に収納容器内に収納することが可能となる。そのため、様々な排紙トレー、給排紙装置、画像形成装置、及び情報表示装置に広く適用することができる。
【図面の簡単な説明】
【００４６】
【図１】本実施形態のインクジェットプリンタを示す斜視図である。
【図２】本実施形態のインクジェットプリンタを示す断面図である。
【図３】本実施形態のインクジェットプリンタを示す断面図であり、蓋体を開けた状態を示す図である。
【図４】本実施形態のインクジェットプリンタを示す断面図であり、排紙トレーを構成する収納容器を開けた状態を示す図である。
【図５】本実施形態のインクジェットプリンタを示す断面図であり、カット紙の給紙トレーを開けた状態を示す図である。
【図６】本実施形態のインクジェットプリンタを示す断面図であり、蓋体上に情報が表示された状態を示す図である。
【図７】他の実施形態のインクジェットプリンタを示す斜視図であり、印画されたカット紙の排出中の状態を示す図である。
【符号の説明】
【００４７】
１０  インクジェットプリンタ（排紙トレー、給排紙装置、画像形成装置、情報表示装置）
１１  インクジェットヘッド（印画部）
１２  カット紙（記録用紙）
１３  収納容器（排紙トレー）
１４  蓋体（排紙トレー）
１５  給紙トレー
１６  液晶ディスプレイ（表示器）
２０  デジタルカメラ（情報取得手段）
２１  排出口
【図１】
2006036448.tif 000003
【図２】
2006036448.tif 000004
【図３】
2006036448.tif 000005
【図４】
2006036448.tif 000006
【図５】
2006036448.tif 000007
【図６】
2006036448.tif 000008
【図７】
2006036448.tif 000009